(57)【特許請求の範囲】
【請求項１】
上方へ向けて伸延した状態で火炎が形成される燃焼空間の外側を囲繞する囲壁に吸気孔を形成するとともに、囲壁の内側又は／及び外側に、燃焼空間の内部で空気を旋回させるための旋回流形成板を設け、前記囲壁は、上方へ向けて漸次狭くなる円錐形状とし、円錐形状の壁面の下部に前記吸気孔を形成したことを特徴とする燃焼促進器。
【請求項２】
前記囲壁は、上端部よりも上方にまで外側の旋回流形成板を設けたことを特徴とする請求項１に記載の燃焼促進器。
【請求項３】
前記囲壁は、燃焼ガスと接触する部分に触媒を担持したことを特徴とする請求項１又は請求項２に記載の燃焼促進器。
【発明の詳細な説明】
【技術分野】
【０００１】
本発明は、火炎が形成される燃焼空間の周囲に配置して燃焼空間の内部での火炎の燃焼を促進させるための燃焼促進器に関するものである。
【背景技術】
【０００２】
火炎は、燃料と酸素との化学反応により空間内に形成される。そして、燃料と酸素とが継続的に供給されるとともに、燃焼によって生成された燃焼ガスが継続的に排出されることで、空間内の所定位置に火炎が保持される。
【０００３】
そのため、火炎は、外気の影響によって燃料や酸素の供給や燃焼ガスの排出が乱されると、不完全燃焼による温度低下や煙の発生が生じたり、燃焼が継続できずに消炎してしまう。
【０００４】
そこで、従来においては、火炎が形成される燃焼空間の周囲に筒状のカバーを設けて、火炎が外気の影響を受けずに継続して燃焼できるようにしている（たとえば、特許文献１参照。）。
【先行技術文献】
【特許文献】
【０００５】
【特許文献１】特開平８−２３５９３０号公報
【発明の概要】
【発明が解決しようとする課題】
【０００６】
ところが、上記従来のように燃焼空間の周囲に筒状のカバーを設けただけでは、外気の影響を受けることがなくなるものの、燃焼自体を促進させることはできない。
【０００７】
そこで、本発明者は、鋭意研究を重ね、燃焼空間の周囲に設けるカバーの構造を改良することで、燃焼自体を促進させることができるようにした。
【課題を解決するための手段】
【０００８】
請求項１に係る本発明では、燃焼促進器において、上方へ向けて伸延した状態で火炎が形成される燃焼空間の外側を囲繞する囲壁に吸気孔を形成するとともに、囲壁の内側又は／及び外側に、燃焼空間の内部で空気を旋回させるための旋回流形成板を設け、前記囲壁は、上方へ向けて漸次狭くなる円錐形状とし、円錐形状の壁面の下部に前記吸気孔を形成することにした。
【００１０】
また、請求項２に係る本発明では、前記請求項１に係る本発明において、前記囲壁は、上端部よりも上方にまで外側の旋回流形成板を設けることにした。
【００１１】
また、請求項３に係る本発明では、前記請求項１又は請求項２に係る本発明において、前記囲壁は、燃焼ガスと接触する部分に触媒を担持することにした。
【発明の効果】
【００１２】
そして、本発明では、以下に記載する効果を奏する。
【００１３】
すなわち、本発明では、燃焼促進器において、火炎が形成される燃焼空間の外側を囲繞する囲壁に吸気孔を形成するとともに、囲壁の内側又は／及び外側に、燃焼空間の内部で空気を旋回させるための旋回流形成板を設けることにしているために、囲壁によって内部の燃焼空間の空気の流れが乱されることがなく、しかも、吸気孔を通して外部から流入する空気を燃焼空間の内部で旋回させることができる。そして、旋回する空気の流れ（旋回流）によって火炎の表面に螺旋状の凹凸が形成され、火炎の表面積を増大させることができる。これにより、火炎の燃焼が促進され、燃焼温度を増大させることができるとともに、不完全燃焼による煙の発生を抑制することができる。
【００１４】
特に、囲壁を円錐形状とした場合には、燃焼空間の内部の空気を上方へ向けて良好に排出させることができ、火炎の形成を安定させることができる。
【００１５】
また、囲壁の上端部よりも上方にまで外側の旋回流形成板を設けた場合には、囲壁の上端部よりも上方に突出して火炎が形成された場合でも、火炎の先端部に向けて空気を旋回させて供給することができ、火炎全体の燃焼を促進させることができる。
【００１６】
また、囲壁と燃焼ガスとが接触する部分に触媒を担持した場合には、旋回流の作用で燃焼ガスを触媒に押圧することができ、燃焼ガスに含まれる有害物質や未燃焼物質の分解や除去などを良好に行うことができる。
【図面の簡単な説明】
【００１７】
【図１】燃焼促進器を示す正面図。
【図２】同正面断面図。
【図３】同平面図。
【図４】同底面図。
【図５】空気の流れを示す平面説明図。
【発明を実施するための形態】
【００１８】
以下に、本発明に係る燃焼促進器の具体的な構成について図面を参照しながら説明する。
【００１９】
図１〜図５に示すように、燃焼促進器１は、火炎２を形成する燃焼装置３の上部に載置して使用される。なお、燃焼促進器１は、火炎２の外方を囲繞するように配置されればよく、燃焼装置３に直接載置して使用される場合に限定されるものではない。また、燃焼装置３は、火炎２を形成することができればよく、キャンドルやガス・灯油等の燃料を用いた燃焼器具などを用いることができる。
【００２０】
燃焼促進器１は、火炎２が形成される燃焼空間４（燃料と酸素とによって燃焼反応が生じる空間）の外側を囲繞する囲壁５を有する。なお、囲壁５は、燃焼空間４の外側を囲繞できればよく、燃焼空間４の外側全体を囲繞する場合に限られず、燃焼空間４の外側一部（たとえば、火炎の上下中央部など）を囲繞するものであってもよい。
【００２１】
囲壁５は、水平な断面の面積が上方へ向けて漸次狭くなる円錐形状としており、下端部及び上端部に円形状の開口6,7を形成している。
【００２２】
また、囲壁５は、円錐形状の壁面の下部に円形状の吸気孔８を円周方向に等しい間隔をあけて複数個（ここでは、８個）設けている。この吸気孔８は、囲壁５の外側と内側とを貫通しており、囲壁５の外側の空気を囲壁５の内側に導入する。なお、囲壁５の内側に導入された空気は、囲壁５の上端部の開口７から排出される。
【００２３】
この囲壁５の内側には、燃焼空間４の内部で空気を一定方向（ここでは、反時計回り）へ向けて旋回させるための複数枚（ここでは、８枚）の内側旋回流形成板９を設けている。各内側旋回流形成板９は、平面視において、囲壁５の中心からの放射線（半径方向に伸延する直線）に対して一定方向側（ここでは、時計回り側）に傾斜させた状態で囲壁５の円錐形状の内壁面に取付けられている。このように、全ての内側旋回流形成板９の内側端部及び外側端部をそれぞれ同一円上に配置するとともに、各内側旋回流形成板９の外側端部を内側端部に対して円周方向に向けて一定方向（ここでは、時計回り）にずらすことで、隣設する内側旋回流形成板９の間を外側から内側に向けて通過する空気が平面視で燃焼空間４の内部で一定方向（ここでは、反時計回り）に旋回するようにしている。
【００２４】
また、囲壁５の外側には、円環板状の鍔10を形成し、その鍔10の上部に燃焼空間４の内部で空気を一定方向（ここでは、反時計回り）へ向けて旋回させるための複数枚（ここでは、８枚）の外側旋回流形成板11を設けている。各外側旋回流形成板11は、平面視において、囲壁５の中心からの放射線（半径方向に伸延する直線）に対して一定方向側（ここでは、時計回り側）に傾斜させた状態で囲壁５の円錐形状の外壁面よりも外側に取付けられている。このように、全ての外側旋回流形成板11の内側端部及び外側端部をそれぞれ同一円上に配置するとともに、各外側旋回流形成板11の外側端部を内側端部に対して円周方向に向けて一定方向（ここでは、時計回り）にずらすことで、隣設する外側旋回流形成板11の間を外側から内側に向けて通過する空気が平面視で一定方向（ここでは、反時計回り）に旋回しながら燃焼空間４の内部に流入するようにしている。
【００２５】
なお、内側旋回流形成板９による旋回方向と外側旋回流形成板11による旋回方向とは同一方向（ここでは、反時計回り）になるようにする。
【００２６】
燃焼促進器１は、以上に説明したように構成しており、燃焼促進器１の外方の空気は、外側旋回流形成板11の作用によって平面視で一定方向（ここでは、反時計回り）に旋回しながら吸気孔８を通過して囲壁５の内部に流入する。吸気孔８を通過した空気は、さらに内側旋回流形成板９の作用によって平面視で一定方向（ここでは、反時計回り）に旋回しながら燃焼空間４の内部に流入する。そして、燃焼空間４の内部に流入した空気で燃料を燃焼させることで火炎２が形成される。燃焼ガスは、囲壁５の円錐状の内壁面や内側旋回流形成板９に案内されて上端部の開口７から排出される。そのため、囲壁５の燃焼ガスが通過する表面（燃焼ガスと接触する表面：囲壁５の内壁面や内側旋回流形成板９の表面や開口７の表面など）にパラジウムやロジウムなどの触媒を担持させることで、旋回流の作用で燃焼ガスを触媒に押圧することができ、燃焼ガスに含まれる有害物質や未燃焼物質の分解や除去などを良好に行うことができる。
【００２７】
なお、上記燃焼促進器１では、内側旋回流形成板９と外側旋回流形成板11の両方を設けているが、これに限られず、内側旋回流形成板９だけを設けてもよく、また、外側旋回流形成板11だけを設けてもよい。また、上記燃焼促進器１では、囲壁５を円錐形状としているが、これに限られず、円筒形状や矩形ダクト形状などとしてもよい。さらに、上記燃焼促進器１では、外側旋回流形成板11の上端部を囲壁５の上端部（開口７）よりも上方にまで伸延させているが、これに限られず、吸気孔８の周囲に形成されていればよい。
【００２８】
以上に説明したように、上記燃焼促進器１は、火炎２が形成される燃焼空間４の外側を囲繞する囲壁５に吸気孔８を形成するとともに、囲壁５の内側又は／及び外側に、燃焼空間４の内部で空気を旋回させるための旋回流形成板（内側旋回流形成板９、外側旋回流形成板11）を設けた構成となっている。
【００２９】
そのため、上記構成の燃焼促進器１では、囲壁５によって内部の燃焼空間４の空気の流れが乱されることがなく、しかも、吸気孔８を通して外部から流入する空気を燃焼空間４の内部で旋回させることができる。そして、旋回する空気の流れ（旋回流）によって火炎２の表面に螺旋状の凹凸が形成され、火炎２の表面積を増大させることができる。これにより、火炎２の燃焼が促進され、燃焼温度を増大させることができるとともに、不完全燃焼による煙の発生を抑制することができる。
【００３０】
また、上記燃焼促進器１は、囲壁５を円錐形状とした構成となっている。
【００３１】
そのため、上記構成の燃焼促進器１では、燃焼空間４の内部の空気を上方へ向けて良好に排出させることができ、火炎２の形成を安定させることができる。これによって、火炎２の燃焼をより一層促進させることができる。
【００３２】
また、上記燃焼促進器１は、囲壁５の上端部よりも上方にまで外側旋回流形成板11を設けた構成となっている。
【００３３】
そのため、上記構成の燃焼促進器１では、囲壁５の上端部よりも上方に突出して火炎２が形成された場合でも、火炎２の先端部に向けて空気を旋回させて供給することができ、これによっても、火炎２の燃焼をより一層促進させることができる。
【符号の説明】
【００３４】
１  燃焼促進器                          ２  火炎
３  燃焼装置                            ４  燃焼空間
５  囲壁                                6,7  開口
８  吸気孔                              ９  内側旋回流形成板
10  鍔                                  11  外側旋回流形成板
【図１】
0006555469.tif 000002
【図２】
0006555469.tif 000003
【図３】
0006555469.tif 000004
【図４】
0006555469.tif 000005
【図５】
0006555469.tif 000006